(57)【要約】【課題】従来の技術には、放電電極から避雷針への放電のタイミングを制御する構成を備えていない。そのため例えば落雷のはじまりに合わせた放電といった具合にタイミングよく放電を行うことができず、落雷とは関係の無いタイミングで避雷針先端の周辺空間の電子密度を上げ導線を形成してしまい、結果的に不必要な落雷を招いてしまう可能性がある、という課題がある。【解決手段】以上の課題を解決するために、本発明は、電界センサー装置を用いて落雷の兆候やはじまりなどを検知し、その検知タイミングで避雷針装置に設けられた放電電極用の電源を駆動させるよう構成した避雷針システムを提供する。【選択図】図２
2014130750.tif 000002
【特許請求の範囲】
【請求項１】
電界センサー装置と、避雷針装置とからなる避雷針システムであって、
前記電界センサー装置は、
避雷針装置の設置場所近辺における電界強度の変化を検知する電界強度検知部と、
検知された電界強度の変化が所定パターンを示すか否か判断する判断部と、
電界強度の変化が所定パターンを示すとの判断結果である場合に、避雷針装置に対して放電指令を送信する放電指令送信部と、を有し、
前記避雷針装置は、
避雷針と、
避雷針に対して放電する放電電極と、
前記放電のための電源と、
前記放電指令送信部からの放電指令を受信し前記放電をするように電源を駆動する電源駆動部と、を有する
避雷針システム。
【請求項２】
前記避雷針は複数で、前記放電電極を囲むように配置された請求項１に記載の避雷針システム。
【請求項３】
前記放電電極は、略球状である請求項１または２に記載の避雷針システム。
【請求項４】
前記放電指令送信部からの前記電源駆動部への放電指令を伝送する光ファイバーからなるファイバー接続部をさらに有する請求項１から３のいずれか一に記載の避雷針システム。
【請求項５】
前記電界強度検知部は、電界強度の漸次的な増加を検知する漸増検知手段と、電界強度の急激な減少を検知する急減検知手段と、を有し、
前記判断部は、漸増検知手段と急減検知手段とがともに電界強度の漸次的な増加と、電界強度の急激な減少を検知した場合に前記所定のパターンを示すと判断する増減判断手段と、を有する請求項１から４のいずれか一に記載の避雷針システム。
【請求項６】
前記避雷針の先端が銅タングステン合金部材でなる請求項１から５のいずれか一に記載の避雷針システム。
【請求項７】
前記電界センサー装置に替えて／又は加えて、
避雷針装置の設置場所近辺における磁界の変化を検知する磁界検知部と、
検知された磁界の変化が所定パターンを示すか否か判断する判断部と、
磁界の変化が所定パターンを示すとの判断結果である場合に、避雷針装置に対して放電指令を送信する放電指令送信部と、を有する磁界センサー装置と、からなる請求項１から６のいずれか一に記載の避雷針システム。
【発明の詳細な説明】
【技術分野】
【０００１】
本発明は、避雷針によって、好適に落雷による被害を軽減する技術に関する。
【背景技術】
【０００２】
従来、落雷による被害を軽減するために避雷針が利用されている。この避雷針は、地面付近と雷雲との電位差を中和することで空間の絶縁破壊を防ぎ落雷の頻度を下げる機能と、それでも中和しきれずに空間の絶縁破壊が生じた場合には避雷針先端と雷雲との間に導線を形成し落雷を自身に誘導する（避雷針自身を、雷雲との間に生じる落雷の終点又は起点とする）機能とを備えており、それによって避雷針周辺領域（防護範囲）への落雷の被害を軽減していると言われている。
【０００３】
また、避雷針における前記落雷の自身への誘導機能を向上させるために、例えば特許文献１には、落雷前の先駆放電などを利用してコイルに高電圧を発生させ、それによって放電電極から避雷針に対して放電を行い避雷針先端からの電子放出をより促すことで、避雷針先端の周辺空間の電子密度を上げてイオン化し、落雷を効率的に誘導することを特徴とする能動的避雷針に関する技術が開示されている。
【０００４】
また特許文献２には、高電圧印加電源を用いて避雷針に対する放電を行うことで、上記特許文献１と同様に避雷針先端の周辺空間の電子密度を上げて効率的に自身に落雷を誘導することを特徴とする誘電落雷方法に関する技術が開示されている。
【先行技術文献】
【特許文献】
【０００５】
【特許文献１】特開２００５−１２３１３７号公報
【特許文献２】特開２００７−１４９６２２号公報
【発明の概要】
【発明が解決しようとする課題】
【０００６】
しかし、上記従来の技術には以下のような課題がある。すなわち、特許文献１、２の技術ともに、放電電極から避雷針への放電のタイミングを制御する構成を備えていない。そのため例えば落雷のはじまりに合わせた放電といった具合にタイミングよく放電を行うことができず、落雷とは関係の無いタイミングで避雷針先端の周辺空間の電子密度を上げ導線を形成してしまい、結果的に必要なタイミングでの誘雷を行うことができず、避雷針としての効果を十分に発揮できない、すなわち雷に対する保護対象物に対して不必要な落雷を招いてしまう、という課題がある。
【課題を解決するための手段】
【０００７】
以上の課題を解決するために、本発明は、電界センサー装置を用いて落雷の兆候やはじまりなどを検知し、その検知タイミングで避雷針装置に設けられた放電電極用の電源を駆動させるよう構成した避雷針システムを提供する。
【０００８】
具体的には、電界センサー装置と、避雷針装置とからなる避雷針システムであって、前記電界センサー装置は、避雷針装置の設置場所近辺における電界強度の変化を検知する電界強度検知部と、検知された電界強度の変化が所定パターンを示すか否か判断する判断部と、電界強度の変化が所定パターンを示すとの判断結果である場合に、避雷針装置に対して放電指令を送信する放電指令送信部と、を有し、前記避雷針装置は、避雷針と、避雷針に対して放電する放電電極と、前記放電のための電源と、前記放電指令送信部からの放電指令を受信し前記放電をするように電源を駆動する電源駆動部と、を有する避雷針システムを提供する。
【０００９】
また、上記構成を備え、さらに前記避雷針は複数で、前記放電電極を囲むように配置された避雷針システムや、前記放電電極が、略球状である記載の避雷針システム、あるいは前記放電指令送信部からの前記電源駆動部への放電指令を伝送する光ファイバーからなるファイバー接続部をさらに有する避雷針システムも提供する。
【００１０】
また、上記構成を備え、さらに前記電界強度検知部が、電界強度の漸次的な増加を検知する漸増検知手段と、電界強度の急激な減少を検知する急減検知手段と、を有し、前記判断部が、漸増検知手段と急減検知手段とがともに電界強度の漸次的な増加と、電界強度の急激な減少を検知した場合に前記所定のパターンを示すと判断する増減判断手段と、を有する避雷針システムも提供する。
【００１１】
また、上記構成を備え、さらに前記避雷針の先端が銅タングステン合金部材でなる避雷針システムも提供する。
【発明の効果】
【００１２】
以上のような構成をとる本発明によって、電界センサー装置で検知された落雷の兆候やはじまりなどのタイミングで放電電極用の電源を駆動させて避雷針先端の周辺空間の電子密度を上げることができる。したがって雷に対する保護対象物に対して不必要な落雷を招くことなく落雷誘導を行うことができる。
【図面の簡単な説明】
【００１３】
【図１】実施例１の避雷針システムによる落雷誘導の一例を説明するための図
【図２】実施例１の避雷針システムにおける機能ブロックの一例を表す図
【図３】実施例１の避雷針システムにおける電界強度の変化の所定パターン判断処理の一例を説明するための図
【図４】実施例１の避雷針システムにおける避雷針の一例を表す側面図
【図５】実施例１の避雷針システムにおける放電電極の一例を表す側面図
【図６】実施例１の避雷針システムの電界センサー装置におけるハードウェア構成の一例を表す図
【図７】実施例１の避雷針システムの避雷針装置におけるハードウェア構成の一例を表す図
【図８】実施例１の避雷針システムにおける処理の流れの一例を表すフローチャート
【図９】実施例２の避雷針システムにおける機能ブロックの一例を表す図
【図１０】実施例３の避雷針システムにおける機能ブロックの一例を表す図
【図１１Ａ】実施例３の避雷針システムにおける漸増検知手段、急減検知手段、増減判断手段を電子回路で実現した一例を表す図
【図１１Ｂ】実施例３の避雷針システムにおける漸増検知手段、急減検知手段、増減判断手段を電子回路で実現した一例を表す図
【図１２】実施例３の避雷針システムにおける処理の流れの一例を表すフローチャート
【発明を実施するための形態】
【００１４】
以下に、図を用いて本発明の実施の形態を説明する。なお、本発明はこれら実施の形態に何ら限定されるものではなく、その要旨を逸脱しない範囲において、種々なる態様で実施しうる。
【００１５】
なお、実施例１は、主に請求項１，２，３，６について説明する。また、実施例２は、主に請求項４について説明する。また、実施例３は、主に請求項５について説明する。
【００１６】
≪実施例１≫
<概要>
図１は、本実施例の避雷針システムによる落雷誘導の一例を説明するための図である。この図１（ａ）にあるように、本実施例の避雷針システムは、避雷針や放電電極、電源などからなる避雷針装置と、落雷のタイミングを検知するための電界センサー装置と、によって構成されている。
【００１７】
そして図１（ｂ）に示すように電界センサー装置に雷雲が接近し、空間と雷雲の電位差が広がり空間の絶縁破壊が起こり、落雷が発生しそうであること、あるいは今まさに発生することなどを電界強度の変化パターンの解析により電界センサー装置が検知すると、電界センサー装置から避雷針装置に対して電源の放電指令が出力される。
【００１８】
すると、当該放電指令に応じて避雷針装置の電源が駆動され放電電極に電圧が印加される。そして電圧印加に応じて放電電極から避雷針に対する放電が発生し、それによって避雷針先端から電子が放出される。そして避雷針周囲の電子密度が上がり、その空間がイオン化されることで落雷が誘導される、という具合である。
【００１９】
このように本実施例の避雷針システムでは、電界センサー装置によって検知した落雷の兆候やはじまりのタイミングで、電源による電圧印加によって避雷針に放電し落雷を誘導することができる。つまり、不必要に落雷を誘導することなく、かつ本当に落ちる落雷のみを誘導することが可能になり、ひいては保護対象物への落雷を防ぐことが可能な避雷針システムとすることができる。
【００２０】
<機能的構成>
図２は、本実施例の避雷針システムにおける機能ブロックの一例を表す図である。なお、以下に記載する本避雷針システムを構成する電界センサー装置の各機能ブロック及び避雷針装置の電源駆動部などは、ハードウェア及びソフトウェアの組み合わせとして実現され得る。具体的には、コンピュータを利用するものであれば、ＣＰＵや主メモリ、バス、あるいは二次記憶装置（ハードディスクや不揮発性メモリなど）、情報入力に利用される入力デバイス、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションプログラムなどの組み合わせによる実現が挙げられる。
【００２１】
そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための指令が生成されたりする。あるいは電界センサー装置の各機能ブロックや避雷針装置の電源駆動部などは専用ハードウェアやＣＰＵを用いない電子回路などを含み実現されてもよい。
【００２２】
また、本明細書に記載の各実施例はシステムや装置として実現できるのみでなく、方法としても実現可能である。また、このような装置の一部をソフトウェアとして構成することができる。さらに、そのようなソフトウェアをコンピュータに実行させるために用いるソフトウェア製品、及び同製品を固定した記録媒体も、当然に本明細書に記載の各実施例の技術的な範囲に含まれる（本明細書の全体を通じて同様である）。
【００２３】
そして、この図２にあるように、本実施例の避雷針システムは、「電界センサー装置」（０２００）と、「避雷針装置」（０２１０）と、からなる。なお電界センサー装置と避雷針装置の距離関係や位置関係については特に限定しないが、電界センサー装置によって雷雲の落雷タイミングを検知した際に、その雷雲と避雷針とが離れすぎていると放電による避雷針への落雷の誘導が上手くいかないことを鑑みると、基本的には避雷針装置の避雷針の防護範囲内に電界センサー装置（の電界強度検知部）が設けられていることが望ましい。
【００２４】
（電界センサー装置）
図２に示すように、「電界センサー装置」（０２００）は、「電界強度検知部」（０２０１）と、「判断部」（０２０２）と、「放電指令送信部」（０２０３）と、からなる。
【００２５】
「電界強度検知部」（０２０１）は、避雷針装置の設置場所近辺における電界強度の変化を検知する機能を有し、例えば電界センサーや電圧センサーをはじめとする各種センサーによって実現することができる。具体的には、電界センサーであれば直接出力される電界強度の検知結果を利用してその変化を検知するとよい。また電圧センサーであれば電界強度の例えばアンテナに配設した電極への帯電電圧を検知し、その帯電電圧と接地電源や基準電源から入力される電圧との差分である電位を電界強度として検出し、その変化を検知する、という具合である。
【００２６】
なお、電界強度の検知対象となる「避雷針装置の設置場所近辺」とは、前述の通り当該避雷針装置の避雷針の防護範囲内の領域が挙げられる。
【００２７】
「判断部」（０２０２）は、検知された電界強度の変化が所定パターンを示すか否か判断する機能を有し、ＣＰＵや主メモリなどの演算装置と、判断プログラム、あるいは演算装置やプログラムを用いない電子回路などによって実現することができる。
【００２８】
なお「電界強度の変化の所定パターン」とは、落雷の兆候やはじまりを示すと想定される電界強度の変化パターンであれば特に限定しないが、具体的には以下のような電界強度の変化によって所定パターンであると判断する例が挙げられる。すなわち図３（ａ）に示すように、例えば電界強度検知部で検知された電界強度が時間経過に応じて徐々に上昇するパターンであって、その上昇の結果電界強度が１０ｋV／ｍなど所定閾値αを超えた場合に電界強度の変化が所定パターンを示すと判断したり、図３（ｂ）に示すように、前回検知された電界強度と今回検知された電界強度の差分がマイナスであって、かつその絶対値が所定閾値β以上の差分値をとる場合に所定パターンを示すと判断したりする、という具合である。あるいは詳細は後述するように、電界強度の変化が、徐々に増加する変化パターン、かつ急激に減少する変化パターンである場合に所定パターンを示すと判断する例も挙げられる。
【００２９】
なお、電界強度の変化パターンによって落雷の兆候やはじまりを検知する場合、その電界強度の変化の発生から落雷が完了するまでの時間は、例えば１０〜２０マイクロ秒後と極めて短時間であることが多い。そのためＣＰＵと判断プログラムによる判断演算処理では、たとえ落雷の兆候やはじまりを検知したとしても、後述する放電指令の送信が落雷に間に合わない可能性がある。
【００３０】
そこで判断部は、ＣＰＵを含まない電子回路として構成されても良い。つまり、例えば抵抗器、オペアンプ、論理ゲートなどを利用して、当該電子回路を順次入力された電界強度の変化が所定パターンである場合にのみ信号を出力する回路構成とすることで、電子回路から信号が出力されたことによって「電界強度の変化が所定パターンであること」を判断する構成とする、という具合である。
【００３１】
「放電指令送信部」（０２０３）は、電界強度の変化が所定パターンを示すとの判断結果である場合に、避雷針装置に対して放電指令を送信する機能を有し、例えばＣＰＵや主メモリなどの演算装置、通信回路、放電指令送信プログラム、あるいは演算装置やプログラムを用いない電子回路などによって実現することができる。
【００３２】
なお、この放電指令送信部における放電指令の送信方式に関して、無線／有線の別や通信プロトコルの別など特に限定しないが、雷雲が接近し空間の電場が不安定である状態で送信することを鑑みると、無線ではなく有線による送信が好ましく、さらに落雷や放電などによるノイズを受けにくい送信プロトコルであることが望ましい。
【００３３】
以上のように、この電界センサー装置の電界強度検知によって、落雷の兆候やはじまりを検出し、その検出タイミングで避雷針装置に対して放電指令を送信することができる。
【００３４】
なお、本実施例の避雷針システムでは、上記電界センサー装置に替えて、あるいは加えて磁界センサー装置を利用して落雷の兆候やはじまりを検出し、避雷針装置に対して放電指令を送信する構成としても良い。
【００３５】
そしてそのために「磁界センサー装置」は、避雷針装置の設置場所近辺における磁界の変化を検知する「磁界検知部」と、検知された磁界の変化が所定パターンを示すか否か判断する「判断部」と、磁界の変化が所定パターンを示すとの判断結果である場合に、避雷針装置に対して放電指令を送信する「放電指令送信部」と、を有することを特徴とする。
【００３６】
具体的には、磁界検知部において磁気センサーなどを利用して磁場の強さや磁束密度を検知し、その検知した値の変化が、電界センサー装置における判断部同様に増加変化によって閾値を超えたり、増加変化から急激なマイナス変化に転じたりした場合に所定のパターンと判断して放電指令を出力する、という具合である。
【００３７】
なお、本実施例の避雷針システムにおいて磁界センサー装置と電界センサー装置との双方を利用する場合には、例えば後述する避雷針装置の放電実行条件をＡＮＤ条件として両センサー装置からの放電指令の受信によって放電を行う構成としても良いし、ＯＲ条件として両センサー装置のうちいずれか一の装置からの放電指令の受信によって放電を行う構成としても良い。
【００３８】
（避雷針装置）
図２に示すように、「避雷針装置」（０２１０）は、「避雷針」（０２１１）と、「放電電極」（０２１２）と、「電源」（０２１３）と、「電源駆動部」（０２１４）と、を有する。
【００３９】
「避雷針」（０２１１）は、放電電極からの放電を受け、落雷を自身に誘導するよう構成された構造体をいい、例えば通常の避雷針同様に先端を尖らせた棒状の構造体として、自身への落雷誘導効果を高めるような形状であると良い。また避雷針の素材としては導電性を備える金属などの材料であれば特に限定しないが、その機能上、避雷針は風雨にさらされることを鑑みると、ステンレスやチタン、あるいは防錆加工などを施した銅などの金属材料であることが好ましい。
【００４０】
また、この避雷針の先端を、銅タングステン合金部材で構成しても良い。このように避雷針先端を融点が高い銅タングステン合金とすることで、落雷時のアーク放電による避雷針の融解や変形などを抑えることができる。
【００４１】
図４は、この避雷針の一例を表す側面図および上面図である。この図にあるように、避雷針（０４１１Ａ〜Ｄ）は複数であり、後述する放電電極（０４１２）を囲むように配置されていても良い。このように避雷針を複数として放電電極を取り囲むことで、放電電極が外部にむき出しとならないので、落雷時に放電電極に直接雷撃があり放電電極が破壊されてしまうことを防止することができる。
【００４２】
また、雷撃からの防護のため放電電極を箱などの密閉構造体で覆う構造と比較して、このように複数の避雷針で放電電極を取り囲む構造は、放電電極からの放電を効率よく避雷針で利用してその周囲空間の電子密度を上げる効果がある。
【００４３】
またこの図４に示すように、複数の避雷針のうち、１〜数本の主避雷針（０４１１Ａ）の長さを、他の数本の副避雷針（０４１１Ｂ〜Ｄ）よりも長い構造としても良い。このような構造とすることで、落雷を直接誘導する対象を主避雷針とした上で、主避雷針で受けた雷撃による大量の電流の遷移を副避雷針に誘導することができ、その内部に配置された放電電極（０４１２）への遷移電流によるダメージを抑えることができる。
【００４４】
「放電電極」（０３１２）は、避雷針に対して放電する機能を有し、放電性を有するものであればその素材や形状は特に限定しないが、形状に関しては、図４や図５に示すように略球状であることが望ましい。このように放電電極の形状を略球状とすることで、図５に示すように、後述する電源からの電圧印加に応じて放電電極（０５１２）の表面の電位を均等にすることができ、それによって主避雷針（０５１１Ａ）などに放電しやすくなる。
【００４５】
また、この放電電極は「絶縁部材」（０５２０）の上に載置される構造であっても良い。このように構成することで、避雷針への落雷時に生じる放電電極への電流遷移を抑えることができる。
【００４６】
「電源」（０３１３）は、放電のための電源であり、放電電極に電圧を印加する機能を有する構造体をいう。そして、この電源は放電電極と電線によって接続され、電線を介して、例えば避雷針と放電電極の隙間が０．５ｃｍであれば、１５０００Ｖなどの電圧を印加することで放電電極からの放電を実現することができる。なお、この印加電圧は、放電電極の素材の放電性や放電電極と避雷針との隙間長などに応じて適宜調整されると良い。
【００４７】
そして、本実施例の避雷針システムでは、この電源が前記放電指令に応じて処理を実行する電源駆動部によって駆動されることを特徴とする。
【００４８】
「電源駆動部」（０３１４）は、前記放電指令送信部からの放電指令を受信し前記放電をするように電源を駆動する機能を有し、ＣＰＵや主メモリなどの演算装置、通信回路、電源駆動プログラム、あるいは演算装置やプログラムを用いない電子回路などによって実現することができる。
【００４９】
具体的には、先の電界強度センサー装置から送信された放電指令を通信回路を介して受信したことをトリガーとして、ＣＰＵなどの演算装置が電源駆動プログラムを解釈し、その解釈結果にしたがって電源に対する駆動指令を出力する、という具合である。あるいは放電指令が入力されると駆動指令を示す信号が出力されるよう構成した電子回路によって、この電源駆動部を実現しても良い。
【００５０】
以上のように、本実施例の避雷針システムによって、電界センサー装置で検知された落雷の兆候やはじまりに合わせて放電指令を避雷針装置に送信し、その放電指令に応じて避雷針装置にて放電電極用の電源を駆動させ避雷針先端の周辺空間の電子密度を上げることができる。
【００５１】
<ハードウェア構成>
図６と図７は、上記機能的な各構成要件をハードウェアとして実現した際の、避雷針システムにおける構成の一例を表す概略図である。この図を利用して落雷誘導のための放電処理におけるそれぞれのハードウェア構成部の働きについて説明する。
【００５２】
（電界センサー装置）
図６は、電界センサー装置におけるハードウェア構成の一例を表す図である。この図にあるように、電界センサー装置は、各種演算処理を実行するための「ＣＰＵ」（０６０１）と、「主メモリ」（０６０２）と、を備えている。また各種情報やプログラムを保持する「フラッシュメモリ」（０６０３）や、「Ｉ／Ｆ（インターフェース）」を介して接続された電界強度を検知するための「センサー」（０６０４）、避雷針装置と通信するための「通信回路」（０６０５）なども備えている。そしてそれらが「システムバス」などのデータ通信経路によって相互に接続され、情報の送受信や処理を行う。
【００５３】
また、「主メモリ」には、電界強度検知プログラムや判断プログラム、放電指令送信プログラムなどが適宜読み出され、「ＣＰＵ」は読み出された各プログラムを参照解釈し、プログラムで示される手順に従い各種演算処理を実行する。また、この「主メモリ」や「フラッシュメモリ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００５４】
まず、電界センサー装置の起動や、図示しない「入力デバイス」を介したユーザによる電界強度検知処理実行の操作入力などをトリガーとして、「ＣＰＵ」は電界強度検知プログラムを解釈し、その解釈結果にしたがって所定周期で「センサー」から出力される電界強度を「主メモリ」に順次格納する。なお、「センサー」が電界強度を検知し出力するものであれば、その出力値をそのまま電界強度として「主メモリ」に格納すると良い。また「センサー」がアンテナなどの電極を利用して大気中などの電圧を検出するものであれば、別途「Ｉ／Ｆ」を介して接続された図示しない「接地電源」や「基準電源」から入力される電圧との差分値を「ＣＰＵ」の演算処理によって算出し、算出した差分値（電位）を電界強度として「主メモリ」に順次格納しても良い。
【００５５】
つづいて、「ＣＰＵ」は判断プログラムを解釈し、その解釈結果にしたがって、「主メモリ」に順次格納されている電界強度の変化パターンが、予め判断プログラムなどで定められている所定パターンと略一致するかの判断処理を実行する。そしてその一致率が例えば８０％以上などになれば、雷雲が近づき、その雷雲が落雷の兆候を示している／落雷がはじまっているとして、「ＣＰＵ」は電界強度の変化が所定パターンを示す旨の判断を出力するする。
【００５６】
そして、その判断結果に応じて「ＣＰＵ」は放電指令送信プログラムを解釈し、その解釈結果にしたがって放電指令を「通信回路」から避雷針装置へと送信する。
【００５７】
あるいは上記のようなＣＰＵや各プログラムによる演算処理の替わりに、前述の通り、「センサー」に抵抗器やオペアンプ、論理ゲートなどで構成された「電子回路」を接続し、それによって上記処理を実行しても良い。具体的には、判断部として、第一の電子回路を順次入力された電界強度の変化が所定パターンである場合にのみ信号を出力する回路構成とする。そして、放電指令送信部として、第二の電子回路を第一の電子回路からの出力信号が入力されると放電指令を示す信号が出力されるよう構成する。このようにして、「センサー」で検知された電界強度の変化パターンが所定のパターンである場合に放電指令を送信することができる。
【００５８】
（避雷針装置）
図７は、避雷針装置におけるハードウェア構成の一例を表す図である。この図にあるように、避雷針装置は、各種演算処理を実行するための「ＣＰＵ」（０７１１）と、「主メモリ」（０７１２）と、を備えている。また「通信回路」（０７１３）や、「Ｉ／Ｆ（インターフェース）」を介して接続された放電電極用の「電源」（０７１４）なども備えている。そしてそれらが「システムバス」などのデータ通信経路によって相互に接続され、情報の送受信や処理を行う。そして「主メモリ」には、電源駆動プログラムが適宜読み出され、「ＣＰＵ」は読み出されたプログラムを参照解釈し、プログラムで示される手順に従い、電源駆動のための演算処理を実行する。
【００５９】
また上記「電源」は電線などによって「放電電極」（０７１５）と接続され、またその放電電極の周囲には複数の「避雷針」（０７１６）が配設されている。
【００６０】
ここで「通信回路」を介して電界センサー装置から送信された放電指令を受信すると、「ＣＰＵ」は電源駆動プログラムを解釈し、その解釈結果にしたがって「電源」に対して駆動指令を出力する。
【００６１】
そして駆動指令を受信した「電源」は、それに応じて、例えば自身の発電機能を利用して１５０００Ｖの電圧を発生させ、電線を介して「放電電極」に当該電圧を印加する。
【００６２】
すると、放電電極では印加電圧に応じて放電が起こり、その周囲に配設された「避雷針」に電荷を与える。すると「避雷針」の先端から電子が放出され、避雷針先端の周辺空間の電子密度が上昇し、当該空間のイオン化が起こる。そして、雷雲と避雷針の間の落雷がそのイオン化された空間を起点又は終点として誘導発生する、という具合である。
【００６３】
なお、避雷針装置も電界センサー装置と同様に、ＣＰＵや各プログラムによる演算処理の替わりにＣＰＵを有さない「電子回路」によって上記処理を実行しても良い。具体的には、電源駆動部として、電子回路を放電指令を示す信号が入力されると駆動指令を示す信号が出力されるよう構成する。このようにして、放電指令の受信に応じて電源の駆動を行うことができる。
【００６４】
<処理の流れ>
図８は、本実施例の避雷針システムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、その一部をアナログ電子回路によって実現する処理ステップであっても構わない。
【００６５】
この図にあるように、まず、電界センサー装置にて、避雷針装置の設置場所近辺における電界強度の変化を検知する（電界強度検知ステップ：Ｓ０８０１）。そして、検知された電界強度の変化が所定パターンを示すか否か判断し（判断ステップ：Ｓ０８０２）、その判断結果が、電界強度の変化が所定パターンを示すとの判断結果である場合に、避雷針装置に対して放電指令を送信する（放電指令送信ステップ：Ｓ０８０３）。
【００６６】
すると、避雷針装置は、前記放電指令送信ステップＳ０８０３からの放電指令を受信し放電をするように電源を駆動する（電源駆動ステップ：Ｓ０８１１）。すると、その電源からの電圧印加によって放電電極にて避雷針に対する放電が発生し、それに応じて避雷針から電子が周囲空間に放出され、落雷が誘導される。
【００６７】
<効果の簡単な説明>
以上のように、本実施例の避雷針システムでは、電界センサー装置によって検知した落雷の兆候やはじまりのタイミングで、電源による電圧印加によって避雷針に放電し落雷を誘導することができる。つまり、不必要に落雷を誘導することなく、かつ本当に落ちる落雷のみを誘導することが可能になり、ひいては保護対象物への落雷を防ぐことが可能な避雷針システムとすることができる。
【００６８】
≪実施例２≫
<概要>
本実施例の避雷針システムは、上記実施例を基本として、電界センサー装置から避雷針装置への放電指令の送信を、光ファイバーを介して行うことを特徴とする。
【００６９】
<機能的構成>
図９は、本実施例の避雷針システムにおける機能ブロックの一例を表す図である。この図にあるように、本実施例の避雷針システムは、実施例１を基本として「電界センサー装置」（０９００）と、「避雷針装置」（０９１０）と、からなる。なお電界センサー装置における「電界強度検知部」（０９０１）と、「判断部」（０９０２）と、「放電指令送信部」（０９０３）、そして避雷針装置における「避雷針」（０９１１）と、「放電電極」（０９１２）と、「電源」（０９１３）と、「電源駆動部」（０９１４）については、上記実施例１で記載した通りであるので、その説明は省略する。
【００７０】
そして、本実施例の避雷針システムの特徴点は、この「電界センサー装置」と「避雷針装置」との間に「ファイバー接続部」（０９２０）をさらに備える点である。
【００７１】
「ファイバー接続部」（０９２０）は、前記放電指令送信部から前記電源駆動部への放電指令を伝送する光ファイバーからなり、光ファイバーのほか、光ファイバーにて放電指令を伝送するための光電変換機能などを有する光通信回路などによって実現することができる。
【００７２】
<効果の簡単な説明>
本実施例の避雷針システムにおける光ファイバーは、主に石英ガラスやゲルマニウムなどの絶縁素材で構成されているため、避雷針装置に落雷があった場合に、その電流が放電指令の伝送線である光ファイバーを介して電界センサー装置に到達し、電界センサー装置を破壊してしまう心配がない。
【００７３】
≪実施例３≫
<概要>
本実施例の避雷針システムは、上記実施例を基本として、放電指令を送信する判断基準となる電界強度の変化パターンを、電界強度の漸次的な増加と、電界強度の急激な減少とをともに示すパターンとすることを特徴とする。
【００７４】
<機能的構成>
図１０は、本実施例の避雷針システムにおける機能ブロックの一例を表す図である。この図にあるように、本実施例の避雷針システムは、実施例１を基本として、「電界センサー装置」（１０００）と、「避雷針装置」（１０１０）と、からなる。なお電界センサー装置における「電界強度検知部」（１００１）と、「判断部」（１００２）と、「放電指令送信部」（１００３）、そして避雷針装置における「避雷針」（１０１１）と、「放電電極」（１０１２）と、「電源」（１０１３）と、「電源駆動部」（１０１４）については、上記実施例１で記載した通りであるので、その説明は省略する。また、実施例２を基本として、図示しない「ファイバー接続部」をさらに備えていても良い。
【００７５】
そして本実施例の避雷針システムは、電界センサー装置の電界強度検知部が、さらに「漸増検知手段」（１００４）と、「急減検知手段」（１００５）と、を有し、また判断部が、さらに「増減判断手段」（１００６）を有する点を特徴とする。
【００７６】
そして「漸増検知手段」（１００４）は、電界強度の漸次的な増加を検知する機能を有する。具体的には、例えば帯域を０．０５Ｈｚとして、３秒で１ｋＶ／ｍ増加する電界強度の変化を漸次的な増加として検出する、という具合である。
【００７７】
また「急減検知手段」（１００５）は、電界強度の急激な減少を検知する機能を有する。具体的には、例えば帯域を３００ｋＨｚとして、０．５マイクロ秒で１００Ｖ／ｍ減少する電界強度の変化を急激な減少として検出する、という具合である。
【００７８】
なお両検知手段は、例えばＣＰＵなどの演算装置や漸増検知プログラム／急減検知プログラムによって実現しても良いし、図１１Ａ，１１Ｂに示すように、上部に示す電子回路１ーＡと１―Ｂを、アンテナからの入力信号の電圧と基準電源の電圧との電位（電界強度）が漸次的に増加する場合にのみ信号を出力する回路構成とし、下部に示す電子回路２―Ａと２―Ｂを、アンテナからの入力信号の電圧と基準電圧との電位が急激に減少する場合にのみ信号を出力する回路構成とすることで実現しても良い。
【００７９】
「増減判断手段」（１００６）は、漸増検知手段と急減検知手段とがともに電界強度の漸次的な増加と、電界強度の急激な減少を検知した場合に前記所定のパターンを示すと判断する機能を有し、例えば演算装置と増減判断プログラムによって実現することができる。
【００８０】
あるいは「増減判断手段」を、図１１Ａ，Ｂに示す上部の電子回路１―Ａ及び１―Ｂと下部の電子回路２―Ａ及び２―Ｂの双方からの出力信号を受信した場合にのみ信号を出力する電子回路Ｃとすることで実現することもできる。
【００８１】
以上のように、本実施例の避雷針システムでは、電界強度の変化パターンが電界強度の漸次的な増加と、電界強度の急激な減少とをともに示す場合に、雷雲が接近し、かつその雷雲からの落雷がもうすぐ起きる際の変化パターンとして判断し、放電指令を避雷針装置に対して送信することができる。
【００８２】
なお、前述の通り、本実施例の避雷針システムでは、電界センサー装置に替えて、あるいは加えて「磁界センサー装置」を有していても良い。その場合、この「磁界センサー装置」も、上記のような「漸増検知手段」と、「急減検知手段」と、「増減判断手段」を有していると良い。なお磁界センサー装置における「漸増検知手段」、「急減検知手段」、「増減判断手段」に関する説明は、その検知対象や判断対象が電界強度ではなく磁界である以外は上記電界センサー装置の構成要件の記載と同様であるので省略する。
【００８３】
<処理の流れ>
図１２は、本実施例の避雷針システムにおける処理の流れの一例を表すフローチャートである。なお、以下に示すステップは計算機の各ハードウェア構成によって実行されるステップであっても良いし、媒体に記録され計算機を制御するためのプログラムを構成する処理ステップであっても構わない。また、その一部または全部をアナログ電子回路によって実現する処理ステップであっても構わない。
【００８４】
なお、本実施例では電界強度の検知及び電界強度の変化パターンの判断に係る処理の流れに焦点を当てて説明する。その他の放電のための電源駆動などに係る処理の流れは、上記実施例１で記載済みであるので、ここでの説明は省略する。
【００８５】
この図にあるように、本実施例の避雷針システムでは、電界センサー装置にて、避雷針装置の設置場所近辺における電界強度の漸次的な増加を検知し（漸増検知ステップ：Ｓ１２０１）、かつ電界強度の急激な減少を検知する（急減検知ステップ：Ｓ１２０２）と、電界強度の変化が所定のパターンを示すとして、放電指令を送信する（放電指令送信ステップ：Ｓ１２０３）。
【００８６】
なお、上記増減検知ステップと急減検知ステップの順番は逆でも良いし、同時であっても良い。そして、送信された放電指令に応じて避雷針装置にて電源を利用した放電電極の放電及び避雷針への落雷誘導が実行される。
【００８７】
<効果の簡単な説明>
以上のように、本実施例の避雷針システムによって、電界強度の変化パターンが電界強度の漸次的な増加と、電界強度の急激な減少とをともに示す場合に、雷雲が接近し、かつその雷雲からの落雷がもうすぐ起きる際の変化パターンとして放電指令を避雷針装置に対して送信することができる。
【００８８】
そして、上記の変化パターンは、雷雲から落雷が発生する直前の変化パターンに近いものと考えられ、したがってより正確に落雷の兆候やはじまりを検知し、それに合わせて落雷誘導のための放電を実行することができる。
【符号の説明】
【００８９】
０２００  電界センサー装置
０２０１  電界強度検知部
０２０２  判断部
０２０３  放電指令送信部
０２１０  避雷針装置
０２１１  避雷針
０２１２  放電電極
０２１３  電源
０２１４  電源駆動部
【図１】
2014130750.tif 000003
【図２】
2014130750.tif 000004
【図３】
2014130750.tif 000005
【図４】
2014130750.tif 000006
【図５】
2014130750.tif 000007
【図６】
2014130750.tif 000008
【図７】
2014130750.tif 000009
【図８】
2014130750.tif 000010
【図９】
2014130750.tif 000011
【図１０】
2014130750.tif 000012
【図１１Ａ】
2014130750.tif 000013
【図１１Ｂ】
2014130750.tif 000014
【図１２】
2014130750.tif 000015